(57)【要約】【課題】居室内に効果的な換気ができ、防音効果の高い住宅用換気システムを提供することを目的としている。【解決手段】建物内の廊下およびホール等の居室以外の天井裏内に設置される換気装置２と、この換気装置２と連通して建物内の空気を吸い込むために天井面６に設けられる吸込み開口７と、換気装置２とダクト１２、１３、１８、１９を介して連通し建物内の複数の居室に設けられる吸込み口１０、１１、１６、１７と、この吸込み口が設けられる複数の居室に屋外と連通して開口される自然給気口２０、２１、２２、２３とを備え、前記吸込み口を居室内であって換気装置２の近傍に配置し、前記自然給気口から流入した屋外空気は居室内を横断し前記吸込み口より吸引され、廊下およびホール等の空気は吸込み開口７より吸引されて換気装置２を介して屋外に排気される構成としている。【選択図】図１
2005265331.tif 000002
【特許請求の範囲】
【請求項１】
換気装置により建物の換気を強制的に行う住宅用換気システムであって、前記建物内の廊下およびホール等の居室以外の天井裏内に設置される換気装置と、この換気装置と連通して建物内の空気を吸い込むために天井面に設けられる吸込み開口と、前記換気装置とダクトを介して連通し建物内の複数の居室に設けられる吸込み口と、この吸込み口が設けられる前記複数の居室に屋外と連通して開口される給気口とを備え、前記吸込み口を前記居室内であって前記換気装置の近傍に配置し、前記給気口から流入した屋外空気は前記居室内を横断し前記吸込み口より吸引され、廊下およびホール等の空気は前記吸込み開口より吸引されて前記換気装置を介して屋外に排気されることを特徴とする住宅用換気システム。
【請求項２】
換気装置により建物の換気を強制的に行う住宅用換気システムであって、前記建物内の廊下およびホール等の居室以外の天井裏内に設置される換気装置と、この換気装置と連通して建物内の空気を吸い込むために天井面に設けられる吸込み開口と、前記換気装置とダクトを介して連通して建物内の複数の居室に設けられる吸込み口と、この吸込み口が設けられる前記複数の部屋に屋外と連通して開口される給気口とを備え、前記吸込み口は、建物の平面視で前記給気口と前記換気装置の間であって、前記換気装置寄りに設けられ、前記給気口から流入した屋外空気は前記居室内を横断し前記吸込み口より吸引され、廊下およびホール等の空気は前記吸込み開口より吸引されて前記換気装置を介して屋外に排気されることを特徴とする住宅用換気システム。
【請求項３】
前記吸込み口は、建物の平面視で室内の中心より換気装置寄りに設けたことを特徴とする請求項１または２に記載の住宅用換気システム。
【請求項４】
前記給気口を吸込み口より最も離れた居室内の角部の近傍に設けることを特徴とする請求項１、２、または３に記載の住宅用換気システム。
【請求項５】
前記吸込み口は建物の平面視で室内の入口近傍に設けたことを特徴とする請求項４に記載の住宅用換気システム。
【請求項６】
前記換気装置を建物の最上階の天井裏内に設置し、階段を介して連通された複数階の廊下及びホール等の空気を吸込み開口より吸引することを特徴とする請求項１または２に記載の住宅用換気システム。
【請求項７】
換気装置に内蔵されたファンモータの出力を調節して、吸込み口の開口面積をそれぞれ設定することを特徴とする請求項１〜６のいずれかに記載の住宅用換気システム。
【請求項８】
換気装置に内蔵されたファンモータの出力を調節して、吸込み開口の開口面積を調節することを特徴とする請求項１〜６のいずれかに記載の住宅用換気システム。
【請求項９】
前記吸込み開口の開口面積を全閉可能にすることを特徴とする請求項１〜８のいずれかに記載の住宅用換気システム。
【請求項１０】
前記吸込み開口および吸込み口にフィルターを備えたことを特徴とする請求項１〜９のいずれかに記載の住宅用換気システム。
【請求項１１】
ダクトを介して複数の吸込み口と連通する吸込みダクトアダプターを備えたことを特徴とする請求項１〜１０のいずれかに記載の住宅用換気システム。
【請求項１２】
換気装置にダクトを介して屋外に連通する吹き出しダクトアダプターを備えたことを特徴とする請求項１〜１１のいずれかに記載の住宅用換気システム。
【請求項１３】
給気口に空気浄化手段を備えたことを特徴とする請求項１〜１２のいずれかに記載の住宅用換気システム。
【発明の詳細な説明】
【技術分野】
【０００１】
本発明は、ダクトを介して複数の居室の換気を行う住宅用換気システムに関する。
【背景技術】
【０００２】
従来、この種の住宅用換気システムは複数の居室内の空気をダクトを介して吸込み屋外へ排出し、外気を吸込み複数ダクトを介して屋内へ給気するものが知られているが、この文献以外に複数の居室内の空気をダクトを介して吸込み屋外へ排出し、各居室に取り付けられた自然給気口より給気するものが知られている。
【０００３】
以下、その住宅用換気システムについて図１０を参照しながら説明する。
【０００４】
図に示すように、サニタリールーム１０１の天井裏内に設置された換気装置１０２は屋外に設けた吹き出し口１０３と主ダクト１０４を介して接続されている。また、換気装置１０２の側面と分岐チャンバー１０５がダクト１０６を介し接続され、複数の居室内中央近辺の天井面に設置された吸込み口１０７、吸込み口１０８、吸込み口１０９は小口径ダクト１１０、小口径ダクト１１１および小口径ダクト１１２を介して分岐チャンバー１０５と接続されている。また、各居室の外壁面には自然給気口１１３、自然給気口１１４および自然給気口１１５が備えている。また、各居室の扉にはガラリ（図示せず）を設けている。換気装置１０２により吸込み口１０７、吸込み口１０８および吸込み口１０９から吸引された各居室の空気が分岐チャンバー１０５で合流し換気装置１０２へ吸引され、吹き出し口１０３より室外へ排気することにより各居室内が負圧になるため、廊下１１６の空気は各居室の扉に設けたガラリを通じ各居室内へ吸引され、また、外気が自然給気口１１３、自然給気口１１４および自然給気口１１５から各居室内へ吸引される構成としていた。
【特許文献１】特開２０００−１４６２４８号公報
【発明の開示】
【発明が解決しようとする課題】
【０００５】
このような従来の住宅用換気システムでは、換気装置の設置場所が住宅内の外壁面寄りに設置されるため、居室によっては吸込み口の位置が自然給気口の近傍に設置されるため、自然給気口および吸込み口の位置関係が居室全体を換気できなく、居室内に換気斑ができ、居室内にＣＯ２濃度や湿気の高い部位が残り効果的な換気ができなかった。また、サニタリールームの天井裏内などの居室から遠方位置に設置された換気装置の吸込み口に分岐チャンバーを接続し、各居室内の中央近辺に設置された吸込み口までダクトを分配させていたため、ダクトが長くなり、分岐チャンバーなどの部材が必要になり、圧力損失の増大となっていた。そのため、大型の換気装置が必要となり、設置スペース、部材費、施工費、消費電力の増大となっていた。また、廊下、ホールの換気を各居室の扉に備えたガラリ経由で吸気していたため、各居室、廊下、ホールの換気が不均一になり、十分な換気ができず、また、各居室間の騒音の漏洩、臭気の漏洩、居住者のプライバシーが守れないという課題があった。
【０００６】
本発明は、このような従来の課題を解決するものであり、居室内にＣＯ２濃度や湿気の高い部位が残らない効果的な換気ができ、複数の居室、廊下、ホールへほぼ均一に十分な給気が効果的にでき、換気装置の小型化、部材費、施工費、消費電力、設置スペースの低減ができることになり、従来アンダーカットやガラリ等から洩れていた臭気、騒音の漏洩がなく、各居室の防音効果が向上し、居住者のプライバシーが守られる住宅用換気システムを提供することを目的としている。
【課題を解決するための手段】
【０００７】
本発明の住宅用換気システムは、上記目的を達成するために、換気装置により建物の換気を強制的に行う住宅用換気システムであって、前記建物内の廊下およびホール等の居室以外の天井裏内に設置される換気装置と、この換気装置と連通して建物内の空気を吸い込むために天井面に設けられる吸込み開口と、前記換気装置とダクトを介して連通し建物内の複数の居室に設けられる吸込み口と、この吸込み口が設けられる前記複数の居室に屋外と連通して開口される給気口とを備え、前記吸込み口を前記居室内であって前記換気装置の近傍に配置し、前記給気口から流入した屋外空気は前記居室内を横断し前記吸込み口より吸引され、廊下およびホール等の空気は前記吸込み開口より吸引されて前記換気装置を介して屋外に排気されることを特徴とするものである。
【０００８】
また、他の手段は、前記吸込み口は、建物の平面視で前記給気口と前記換気装置の間であって、前記換気装置寄りに設けられ、前記給気口から流入した屋外空気は前記居室内を横断し前記吸込み口より吸引され、廊下およびホール等の空気は前記吸込み開口より吸引されて前記換気装置を介して屋外に排気されることを特徴とするものである。
【０００９】
また、他の手段は、前記吸込み口は、建物の平面視で室内の中心より換気装置寄りに設けたことを特徴とするものである。
【００１０】
また、他の手段は、給気口を吸込み口より最も遠方の居室内角部近傍の外壁面に設置することを特徴とするものである。
【００１１】
また、他の手段は、前記吸込み口は建物の平面視で室内の入口近傍に設けたことを特徴とするものである。
【００１２】
また、他の手段は、最上階天井裏内に設置される換気装置で、階段を介して連通された複数階の廊下及びホール等の空気を吸込み開口より吸引することを特徴とするものである。
【００１３】
また、他の手段は、換気装置に内蔵されたファンモータの出力を調節して、吸込み口の開口面積をそれぞれ設定することを特徴とするものである。
【００１４】
また、他の手段は、換気装置に内蔵されたファンモータの出力を調節して、天井面に設けられた吸込み開口の開口面積を調節すること特徴とするものである。
【００１５】
また、他の手段は、前記吸込み開口の開口面積を全閉可能にすることを特徴とするものである。
【００１６】
また、他の手段は、前記吸込み開口および吸込み口にフィルターを備えたことを特徴とするものである。
【００１７】
また、他の手段は、ダクトを介して複数の吸込み口と連通する吸込みダクトアダプターを備えたことを特徴とするものである。
【００１８】
また、他の手段は、換気装置にダクトを介して屋外に連通する吹き出しダクトアダプターを備えたことを特徴とするものである。
【００１９】
また、他の手段は、給気口に空気浄化手段を備えたものである。
【発明の効果】
【００２０】
本発明によれば、居室内にＣＯ２濃度や湿気の高い部位が残らない効果的な換気ができ、複数の居室、廊下、ホールへほぼ均一に十分な給気が効果的にできるので、各換気空間ごとに適切な換気設計が行える。また、換気装置の小型化、部材費、施工費、消費電力、設置スペースの低減ができることになり、従来、アンダーカットやガラリ等から洩れていた臭気、騒音の漏洩がなく、各居室の防音効果が向上し、居住者のプライバシーが守られる住宅用換気システムを提供することができる。
【発明を実施するための最良の形態】
【００２１】
本発明の請求項１記載の住宅用換気システムは、換気装置により建物の換気を強制的に行う住宅用換気システムであって、前記建物内の廊下およびホール等の居室以外の天井裏内に設置される換気装置と、この換気装置と連通して建物内の空気を吸い込むために天井面に設けられる吸込み開口と、前記換気装置とダクトを介して連通し建物内の複数の居室に設けられる吸込み口と、この吸込み口が設けられる前記複数の居室に屋外と連通して開口される給気口とを備え、前記吸込み口を前記居室内であって前記換気装置の近傍に配置し、前記給気口から流入した屋外空気は前記居室内を横断し前記吸込み口より吸引され、廊下およびホール等の空気は前記吸込み開口より吸引されて前記換気装置を介して屋外に排気される構成にしたことにより、分岐チャンバーなどの部材が不要で、ダクトが最短で構成できるためダクトの圧力損失が低減でき、ひいては換気装置の小型化、部材費、施工費、消費電力、設置スペースの低減ができるという作用を有する。また、居室内にＣＯ２濃度や湿気の高い部位が残らない効果的な換気ができ、屋外から複数の居室、廊下、ホールへほぼ均一に十分な給気が効果的にできる。また、各換気空間ごとに吸気及び排気の終始が完結しているため適切な換気設計が行える。また、各居室とホールおよび廊下を個別に換気できるため各居室、廊下、ホール間の臭気の漏洩がなく、また扉のアンダーカットやガラリ等が不要となるため、従来アンダーカットやガラリ等から洩れていた騒音もなくなり、各居室の防音効果が向上し居住者のプライバシーが守られるという作用を有する。
【００２２】
また、請求項２記載の住宅用換気システムの発明は、換気装置により建物の換気を強制的に行う住宅用換気システムであって、前記建物内の廊下およびホール等の居室以外の天井裏内に設置される換気装置と、この換気装置と連通して建物内の空気を吸い込むために天井面に設けられる吸込み開口と、前記換気装置とダクトを介して連通して建物内の複数の居室に設けられる吸込み口と、この吸込み口が設けられる前記複数の部屋に屋外と連通して開口される給気口とを備え、前記吸込み口は、建物の平面視で前記給気口と前記換気装置の間であって、前記換気装置寄りに設けられ、前記給気口から流入した屋外空気は前記居室内を横断し前記吸込み口より吸引され、廊下およびホール等の空気は前記吸込み開口より吸引されて前記換気装置を介して屋外に排気される構成としたものであり、居室内にＣＯ２濃度や湿気の高い部位が残らない効果的な換気ができ、屋外から複数の居室、廊下、ホールへほぼ均一に十分な給気が効果的にできる。また、各換気空間ごとに吸気及び排気の終始が完結しているため適切な換気設計が行える。また、分岐チャンバーなどの部材が不要で、ダクトが最短で構成できるためダクトの圧力損失が低減でき、ひいては換気装置の小型化、部材費、施工費、消費電力、設置スペースの低減ができる。また、各居室とホールおよび廊下を個別に換気できるため各居室、廊下、ホール間の臭気の漏洩がなく、また扉のアンダーカットやガラリ等が不要となるため、従来アンダーカットやガラリ等から洩れていた騒音もなくなり、各居室の防音効果が向上し居住者のプライバシーが守られるという作用を有する。
【００２３】
また、請求項３記載の発明は、請求項１または２に記載の住宅用換気システムにおいて、前記吸込み口は、建物の平面視で室内の中心より換気装置寄りに設けたものであり、給気口から吸込み口に至る室内を略対角線状に横断する気流を形成することができるので、居室内にＣＯ２濃度や湿気の高い部位が残らない効果的な換気ができ、屋外から、複数の居室、廊下、ホールへほぼ均一に十分な給気を効果的に行うことができる作用を有する。
【００２４】
また、請求項４記載の発明は、請求項１、２、または３に記載の住宅用換気システムにおいて、前記給気口を吸込み口より最も離れた居室内の角部の近傍に設けるものであり、居室内にＣＯ２濃度や湿気の高い部位が残らない効果的な換気ができ、屋外から、複数の居室、廊下、ホールへほぼ均一に十分な給気が効果的にできるという作用を有する。
【００２５】
また、請求項５記載の発明は、請求項４に記載の住宅用換気システムにおいて、前記吸込み口は建物の平面視で室内の入口近傍に設けたものであり、給気口から吸込み口に至る室内のほぼ全体を横断する気流を形成することができるので、室の中で空気の淀む箇所が発生するのを防止して、居室内にＣＯ２濃度や湿気の高い部位が残らない効果的な換気ができ、屋外から、複数の居室、廊下、ホールへほぼ均一に十分な給気を効果的に行うことができるという作用を有する。
【００２６】
また、請求項６記載の発明は、請求項１または２に記載の住宅用換気システムにおいて、前記換気装置を建物の最上階の天井裏内に設置し、階段を介して連通された複数階の廊下及びホール等の空気を吸込み開口より吸引するものであり、換気装置のみで最上階の各居室と各階段ホールおよび各階の廊下等の非居住空間の換気をすることができるという作用を有する。また、１ＦのＬＤＫ等に別途換気装置を設置することができるため、例えば、来客などで１ＦのＬＤＫの換気量が増えた場合においても、別途設置した換気装置の換気風量に関わらず廊下等の非居住空間の計画的な換気が行えるという作用を有する。
【００２７】
また、請求項７記載の発明は、請求項１〜６のいずれかに記載の住宅用換気システムにおいて、換気装置に内蔵されたファンモータの出力を調節し、吸込み口の開口面積をそれぞれ設定するものであり、吸込み口の開口面積をそれぞれ使用環境に応じて設定することにより、各居室の広さに適合した吸込み風量に調節できるという作用を有する。
【００２８】
また、請求項８記載の発明は、請求項１〜６のいずれかに記載の住宅用換気システムにおいて、換気装置に内蔵されたファンモータの出力を調節して、吸込み開口の開口面積を調節するものであり、使用環境に応じて吸込み開口の開口面積を調節することにより、廊下、ホール等の居室以外の面積に適合した吸込み風量に調節できるという作用を有する。
また、請求項９記載の発明は、請求項１〜８のいずれかに記載の住宅用換気システムにおいて、前記吸込み開口の開口面積を全閉可能にするものであり、吸込み開口を全閉にすることで廊下、ホールなどの換気が不要な場合の換気計画を容易に行うことができるという作用を有する。
【００２９】
また、請求項１０記載の発明は、請求項１〜９のいずれかに記載の住宅用換気システムにおいて、吸込み開口および吸込み口にフィルターを備えたものであり、吸込み開口および吸込み口から吸気された室内空気がフィルターを通過するため、吸引時に吸気に含まれる塵埃がフィルターに濾過され、清浄な空気となり換気装置へ吸い込まれる。そのため換気装置の内部が塵埃で汚れることがなくなり換気装置のメンテナンス周期が長くなり、ひいてはメンテナンス費用の削減、塵埃による故障率の低減できるという作用を有する。
【００３０】
また、請求項１１記載の発明は、請求項１〜１０のいずれかに記載の住宅用換気システムにおいて、ダクトを介して複数の吸込み口と連通する吸込みダクトアダプターを備えたものであり、前記吸込みダクトアダプターを交換することにより、前記ダクトの口径および接続ダクト数を変更することができるという作用を有する。
【００３１】
また、請求項１２記載の発明は、請求項１〜１１のいずれかに記載の住宅用換気システムにおいて、換気装置にダクトを介して屋外に連通する吹き出しダクトアダプターを備えたものであり、前記吹き出しダクトアダプターを交換することで前記ダクトの口径および接続ダクト数を変更することのできるという作用を有する。
【００３２】
また、請求項１３記載の発明は、請求項１〜１２のいずれかに記載の住宅用換気システムにおいて、給気口に空気浄化手段を備えたことを特徴とする給気口に空気浄化手段を備えるものであり、屋外から居室内へ給気される給気空気に含まれる室内汚染物質を除去することができ、ひいては居室内の空気を浄化することができるという作用を有する。
【００３３】
以下、本発明の実施の形態について図１〜図９を参照しながら説明する。
【００３４】
（実施の形態１）
本発明の住宅用換気システムは、建物内の廊下およびホール等の居室以外の天井裏内に設置される換気装置２と、この換気装置２と連通して建物内の空気を吸い込むために天井面６に設けられる吸込み開口７と、換気装置２とダクト１２、１３、１８、１９を介して連通し建物内の複数の居室に設けられる吸込み口１０、１１、１６、１７と、この吸込み口１０、１１、１６、１７が設けられる複数の居室に屋外と連通して開口される自然給気口２０、２１、２２、２３とを備え、吸込み口１０、１１、１６、１７を居室内であって換気装置２の近傍に配置し、自然給気口２０、２１、２２、２３から流入した屋外空気は居室内を横断し吸込み口１０、１１、１６、１７より吸引され、廊下およびホール等の空気は吸込み開口７より吸引されて換気装置２を介して屋外に排気される構成としている。
【００３５】
また、吸込み口１０、１１、１６、１７は、建物の平面視で自然給気口２０、２１、２２、２３と換気装置２の間であって、換気装置２寄りに設けるように構成としても同様の作用効果を有する。
【００３６】
また、吸込み口１０、１１、１６、１７は、建物の平面視で室内の中心より換気装置２寄りに設けるように構成しても同様の作用効果を有する。
【００３７】
以下に具体的な構成を説明する。図１、図２、および図３に示すように、住宅内のほぼ中央に位置する廊下１の天井裏内に設置された換気装置２に着脱可能な主ダクトアダプター３を設け、主ダクトアダプター３は屋外に設けた吹き出し口４と主ダクト５を介して接続され、換気装置２の下面と換気装置２の下方の天井面６に設置された吸込み開口７と連通している。また、換気装置２の側面には着脱可能なダクトアダプター８およびダクトアダプター９を設け、ダクトアダプター８およびダクトアダプター９と室内の天井面６に設置された吸込み口１０、吸込み口１１はダクト１２、ダクト１３を介して接続されており、換気装置２の逆側面には着脱可能なダクトアダプター１４およびダクトアダプター１５を設け、ダクトアダプター１４およびダクトアダプター１５と室内の天井面６に設置された吸込み口１６、吸込み口１７はダクト１８、ダクト１９を介して接続されている。換気装置２に対し最も離れた各居室内における角部の近傍の外壁面には自然給気口２０、自然給気口２１、自然給気口２２および自然給気口２３が備えてあり、吸込み口１０、吸込み口１１、吸込み口１６および吸込み口１７は各居室内の自然給気口２０、自然給気口２１、自然給気口２２もしくは自然給気口２３の対角部近傍であり、換気装置２に近い天井面の角部もしくは辺部に配置されている。
【００３８】
また、吸込み口１０、１１、１６、１７は建物の平面視で室内のドアなどで構成される入口近傍に設けられている。
【００３９】
上記構成において、換気装置２により自然給気口２０、自然給気口２１、自然給気口２２および自然給気口２３から住宅内を介し、吸込み開口７、吸込み口１０、吸込み口１１、吸込み口１６および吸込み口１７へ吸引された室内給気２４、室内給気２５、室内給気２６、室内給気２７および室内給気２８が吹き出し口４より室外へ排気される。このとき、室内給気２４、室内給気２５、室内給気２６、室内給気２７および室内給気２８は室内をほぼ横断するため、住宅内にＣＯ２濃度や湿気の高い部位が残らない換気ができ、複数の居室、廊下、ホールへほぼ均一に十分な給気が効果的にできる。また、各換気空間ごとに吸気及び排気の終始が完結しているため適切な換気設計が行える。また、ダクト１２、ダクト１３、ダクト１８およびダクト１９のダクト長が最短で構成できるためダクトの圧力損失が低減でき、ひいては換気装置の小型化、部材費、施工費、消費電力、設置スペースの低減ができることになる。また、各居室とホールおよび廊下を個別に換気できるため各居室、廊下、ホール間の臭気の漏洩がなく、また扉のアンダーカットやガラリ等が不要となるため、従来、アンダーカットやガラリ等から洩れていた騒音もなくなり、各居室の防音効果が向上し、居住者のプライバシーが守られる住宅全体換気が可能になる。
【００４０】
また、吸込み口１０、１１、１６、１７は、建物の平面視で室内の中心より換気装置２寄りに設けられているので、自然給気口２０、２１、２２、２３から吸込み口１０、１１、１６、１７に至る室内を略対角線状に横断する気流を形成することができるため、居室内にＣＯ２濃度や湿気の高い部位が残らない効果的な換気ができ、屋外からの複数の居室、廊下、ホールへほぼ均一に十分な給気が効果的に行われるという作用を有する。
【００４１】
また、図４に示すように、１Ｆ廊下等の非居住空間（図示せず）と接続された１Ｆ階段ホール２９と２Ｆ廊下等の非居住空間（図示せず）と接続された２Ｆ階段ホール３０が階段３１を介して連通され、換気装置２を建物の最上階である２Ｆ階段ホール３０の天井裏内に設置し、換気装置２と連通する吸込み開口７は換気装置２の下方の天井面６に設置されている。
【００４２】
上記構成において、換気装置２により吸込み開口７から２Ｆ階段ホール３０の室内空気３２を吸込むことによって２Ｆ階段ホール３０が負圧になるため、２Ｆ廊下等の非居住空間（図示せず）の室内空気（図示せず）および１Ｆ階段ホール２９の室内空気３３が２Ｆ階段ホール３０へ流入し、また、１Ｆ階段ホール２９が負圧になるため１Ｆ廊下等の非居住空間（図示せず）の室内空気（図示せず）が１Ｆ階段ホール２９へ流入する。これにより換気装置２のみで１Ｆ階段ホール２９、１Ｆ廊下等の非居住空間（図示せず）、２Ｆ階段ホール３０および２Ｆ廊下等の非居住空間（図示せず）の換気をすることができる。この構成をとることで、１ＦのＬＤＫ等に別途換気装置を設置することができるため、例えば来客などで１ＦのＬＤＫの換気量が増えた場合においても、別途設置した換気装置の換気風量に関わらず計画的な換気が行うことができる。
【００４３】
また、図５に示すように、吸込み口１０、吸込み口１１、吸込み口１６および吸込み口１７に吸込み開口面積を可変することのできるスライド蓋３４を設け、吸込み口の開口面積をそれぞれ設定できる構成とし、換気装置２には出力調節可能なファンモーター３５を設ける。この構成において、住宅の広さに応じてファンモーター３５の出力を調節し、吸込み口１０、吸込み口１１、吸込み口１６および吸込み口１７のスライド蓋３４の位置を調節することにより、各居室の広さに応じた風量を送風することができる。
【００４４】
また、図６に示すように、吸込み開口７に吸込み開口面積を可変することのできるスライド蓋３６を設け、吸込み開口の開口面積を調節する構成とし、換気装置２には出力調節可能なファンモーター３５を設ける。この構成において、住宅の広さに応じてファンモーター３５の出力を調節し、吸込み開口７のスライド蓋３６の位置を調節することにより、ホールおよび廊下の広さに応じた風量を送風することができる。
【００４５】
また、スライド蓋３６は全閉可能にも構成されている。この構成において、吸込み開口７が密閉されると、換気装置２の吸気は吸込み口１０、吸込み口１１、吸込み口１６および吸込み口１７からのみとなる。これにより廊下、ホールなどの換気が不要な換気設計にも対応可能な住宅用換気システムを提供することができる。
【００４６】
また、図７に示すように、吸込み開口１３の前面にフィルター３７を設け、吸込み口１０、吸込み口１１、吸込み口１６および吸込み口１７の前面にフィルター３７を設ける構成とする。吸込み開口１３から吸気された吸気３８はフィルター３７を通過し、吸込み口１０、吸込み口１１、吸込み口１６および吸込み口１７から吸気された吸気３９はフィルター３７を通過するため、吸引時に吸気３８および吸気３９に含まれる塵埃がフィルター３７およびフィルター３７に濾過され、清浄な空気となり換気装置２の内部へ吸い込まれる。そのため換気装置２の内部が塵埃で汚れることがなくなり換気装置２のメンテナンス周期が長くなり、ひいてはメンテナンス費用の削減、塵埃による故障率の低減できることになる。
【００４７】
また、図８に示すように、換気装置２に、吹き出しダクトアダプターであり、ダクト接続部を２ヶ所備えた二股主ダクトアダプター４０を備える構成としている。主ダクトアダプター３を取り外し、主ダクトアダプター３の着脱部に二股主ダクトアダプター４０を取付けることにより、主ダクト５ａおよび主ダクト５ｂを取り付けることが可能になる。これにより１本の主ダクト５では圧力損失が大きいため、ファンモータ３５の出力が不足する住宅に対しても二股主ダクトアダプター４０および２本の主ダクト５を取り付けることでダクトによる圧力損失が低下し、ファンモータ３５の出力でも十分設置可能になるという効果を有する。また、ダクトの接続口を増やしダクトによる圧力損失を低減する方法以外にダクトアダプターの口径を変えることで接続するダクトの口径を変えて、ダクトによる圧力損失を低減することも可能である。
【００４８】
また、ダクトを介して複数の吸込み口と連通する吸込みダクトアダプターである二股ダクトアダプター４１、４２、４３、４４を備えた構成とする。ダクトアダプター８、ダクトアダプター９、ダクトアダプター１４およびダクトアダプター１５を取り外し、二股ダクトアダプター４１、二股ダクトアダプター４２、二股ダクトアダプター４３、および二股ダクトアダプター４４を、ダクトアダプター８、ダクトアダプター９、ダクトアダプター１４、およびダクトアダプター１５の着脱部にそれぞれ取り付けることで各２本の小口径ダクト１２、小口径ダクト１３、小口径ダクト１８、および小口径ダクト１９を取り付けることが可能になる。これにより吸込み口１０、吸込み口１１、吸込み口１６、および吸込み口１７では吸込み口の数が不足する住宅に対しても、吸込み口数を８箇所まで対応することが可能となる。また、ダクト接続本数を増やすことによりダクトによる圧力損失が低下し、少ない出力のモーターで大風量の換気が可能となるという効果を有する。なお、吸込み口数は８箇所に関わらず分岐できるダクト接続口の個数まで増やすことができる。また、ダクトの接続口を増やしダクトによる圧力損失を低減する方法以外にダクトアダプターの口径を変えることで接続するダクトの口径を変えて、ダクトによる圧力損失を低減することも可能である。
【００４９】
また、図９に示すように、自然給気口２０、自然給気口２１、自然給気口２２および自然給気口２３に備えた給気用風路４５上に室内汚染物質を浄化する空気浄化手段４６を備える構成とする。これにより、屋外から給気用風路４５を介し居室内へ給気される給気４７に含まれる室内汚染物質を除去することができ、給気４７を居室内へ給気することで居室内の空気を浄化することができる。
【産業上の利用可能性】
【００５０】
本発明の住宅用換気システムは、複数の区画された室を有する建物内のフロア全体の換気を行う場合に、換気空間を複数に分割して管理して計画的に換気することができるため、住宅だけでなく、各換気空間ごとに適切な換気設計が行え、各室の防音やプライバシー管理が必要である、オフィス、スポーツ施設などの施設の換気に有用である。
【図面の簡単な説明】
【００５１】
【図１】本発明の実施の形態１の住宅用換気システムの建物への設置状態を示すシステム図
【図２】同住宅用換気システムの換気装置周辺の構成を示す平面図
【図３】同住宅用換気システムの換気装置周辺の構成を示す側面図
【図４】同住宅用換気システムの建物への設置状態を示す立面図
【図５】同住宅用換気システムの吸込み口の構成を示す下面図
【図６】同住宅用換気システムの吸込み開口の構成を示す斜視図
【図７】同住宅用換気システムの吸込み口の構成を示す下面図
【図８】同住宅用換気システムに小口径ダクト接続時の構成を示す平面図
【図９】同住宅用換気システムの給気口の構成を示す断面図
【図１０】従来の住宅用換気システムの建物への設置状態を示すシステム図
【符号の説明】
【００５２】
１      廊下
２      換気装置
６      天井面
７      吸込み開口
１０    吸込み口
１１    吸込み口
１６    吸込み口
１７    吸込み口
２０    自然給気口
２１    自然給気口
２２    自然給気口
２３    自然給気口
２９    １Ｆ階段ホール
３０    ２Ｆ階段ホール
３４    スライド蓋
３５    ファンモーター
３６    スライド蓋
３７    フィルター
４０    二股主ダクトアダプター
４１    二股ダクトアダプター
４２    二股ダクトアダプター
４３    二股ダクトアダプター
４４    二股ダクトアダプター
４６    空気浄化手段
【図１】
2005265331.tif 000003
【図２】
2005265331.tif 000004
【図３】
2005265331.tif 000005
【図４】
2005265331.tif 000006
【図５】
2005265331.tif 000007
【図６】
2005265331.tif 000008
【図７】
2005265331.tif 000009
【図８】
2005265331.tif 000010
【図９】
2005265331.tif 000011
【図１０】
2005265331.tif 000012